(57)【特許請求の範囲】
【請求項１】
直方体状保冷庫本体（１４）の開口部（１５）にドアー（１２）をその開口部（１５）側端部上下のヒンジ（２３）を介して開閉自在に取付け、上記ドアー（１２）の上記保冷庫本体側内周面回りにガスケットを巡らせて設け、ブラケット（１７）に取り付けられたスイッチ（１３）を、該ブラケット（１７）と共にスイッチ取付け部に固定してなるドアースイッチ（１３）の取付け構造において、
上記スイッチ取付け部が上記開口部（１５）のヒンジ（２３）側の側面部に設けられ、上記ブラケット（１７）の上記スイッチ（１３）の接触子（２０）に接する部分を揺動片（２１）とし、その揺動片（２１）の揺動によって上記接触子（２０）を押し又はその押しを解除してスイッチ（１３）をオン・オフし、該揺動片（２１）の先端部（２２）は閉じた状態の上記ドアー（１２）の側端面に向かって延びるとともに保冷庫本体内部側に向かって上記接触子（２０）を覆うように凸状に湾曲し、上記ドアー（１２）が閉じる際、上記湾曲先端部（２２）が上記ドアー（１２）の側端面に接して押され、その押されることによってスイッチ（１３）の接触子（２０）を押さえるようにしたことを特徴とするドアースイッチ取付け構造。
【請求項２】
上記スイッチ取付け部が保冷庫本体（１４）の開口部（１５）側面部に設けた窪み（１６）で構成され、上記ブラケット（１７）は、その窪み（１６）内面に接して上記スイッチ（１３）を取りつける取付け面（２４）と、その取付け面（２４）から直角に折れ曲がって上記窪み（１６）の入り口面に接して固定される面（３４）と、上記スイッチ（１３）の取付け面（２４）から直角に折り曲げられ、その先が延長されて湾曲し、上記折り曲げ部（２７）に切り込み（２８）を形成して弾撥性を付与してなる上記揺動片（２１）とからなって、取付け面（２４）、及び揺動片（２１）が同一の部材から上記折り曲げ部（２７）及び切り込み（２８）を形成してなる請求項１に記載のドアースイッチ取付け構造。
【発明の詳細な説明】
【０００１】
【発明の属する技術分野】
この発明は保冷庫あるいは冷蔵庫（以下、保冷庫とする）のドアースイッチに関する。
【０００２】
【従来の技術】
保冷庫には図３に示すように送風機１で冷気を循環させて庫内温度を均一にするようにしているが、送風機１を運転した状態でドアー２を開けると庫内の冷気が追い出されるような状態になって保冷効果が極端に低下する。従って、ドアースイッチ３を設けて、ドアー２の開閉に従って送風機１の運転を制御し適正な保冷状態を保つようにしている。
【０００３】
ところが、これまでのドアースイッチ３の取付け構造は、図４に示すように保冷庫本体４の開口部５に形成した窪み６に、ブラケット７を介してドアースイッチ３を取り付け、窪み６の入り口にカバー８が被せられている。なお、カバー８にはドアー側に延びるレバー９が通り抜ける孔が設けられ、このカバー８の孔から延びたレバー９によりドアー２の開閉毎にドアースイッチ３がオン・オフされるようになっている。
【０００４】
【発明が解決しようとする課題】
上記従来のスイッチの取付け構造では、スイッチをオン・オフさせるためのレバーは、ドアーの裏面に巡らせているガスケットに直接接触し、その部分に僅かな隙間ができて冷気の漏洩の原因になり、かつ、その状態で長期間使用しているうちにガスケットが損傷して冷気の漏洩が一層大きくなる。
【０００５】
また、上記のようなドアースイッチの取付け構造では、保冷庫本体の開口部の窪みに嵌まるブラケットと、これに取り付けられるスイッチと、スイッチの接触子を押さえるレバーと、窪みに嵌入固定したスイッチを覆うカバーとによって構成するものであるから、部品数が多く、かつ、取付け工数も多く必要とする。
【０００６】
この発明は上記従来の問題に鑑み、ドアースイッチの取付け構造の部品数を少なくし、それによって取付け工数を削減できるドアースイッチの取付け構造を提供することを課題とする。
【０００７】
【課題を解決するための手段】
上記課題を解決するためにこの発明は、ブラケットに取り付けられたスイッチを、該ブラケットと共に保冷庫の本体開口部のスイッチ取付け部に固定してなるドアースイッチの取付け構造において、上記ブラケットの上記スイッチの接触子に接する部分を揺動片とし、該揺動片の先端を湾曲させ、ドアーの端面が上記湾曲面に接することによりスイッチの接触子を押さえるようにしてなり、上記ブラケットは、保冷庫本体の開口部に設けた窪みの内面に接してスイッチを取りつける部分と、その部分から直角に折り曲げて上記窪みの入り口面に接して固定される面と、上記スイッチを取りつける部分から直角に折り曲げられ、その先が延長されて湾曲し、上記折り曲げ部分に切り込みを形成して弾撥性を付与してなる構成としたものである。
【０００８】
上記の如く構成するこの発明によれば、先端が湾曲し切り込みを入れて弾撥性を付与した揺動片によりドアーの開け閉めの際スイッチの接触子をスムーズに作動させることとなり、揺動片の湾曲部がドアーの端面に接触しガスケットには全く接触しないのでガスケットを損傷・疲労させることはない。また、部品点数を少なくし、かつ、取付け工数を少なくすることができる。
【０００９】
【発明の実施の形態】
次にこの発明の実施形態を図１、図２を参照しながら説明する。図１は直方体状保冷庫本体１４の開口部１５の側面部の窪み１６にドアースイッチ１３を取付けた状態の断面図である。図２（ｂ）はドアースイッチ１３とそれを保持するブラケット１７と窪み１６を覆うカバー１８の斜視図で、（ａ）は部品分解斜視図である。
【００１０】
図１において、保冷庫本体１４の開口部１５にその側端部上下のヒンジ２３を介してドアー１２を開閉自在に取付け、そのドアー１２の保冷庫本体１４側内周面回りにガスケットＧを巡らせて設けている。また、保冷庫本体１４の開口部１５に設けた窪み１６にブラケット１７を介してドアースイッチ１３が取りつけられ、上記ブラケット１７は、ドアースイッチ１３の接触子２０と接する側が直角に折り曲げられ延長部分（先端部２２）は、図１で示すように、閉じた状態のドアー１２の側端面に向かって延びるとともに保冷庫本体内部側に向かって接触子２０を覆うように凸状に湾曲して揺動片２１を形成している。
【００１１】
上記揺動片２１の湾曲部２２は、ヒンジ２３を軸にしてドアー１２が開かれると解放され、その弾撥力により接触子２０を押さえない方向に動き、電源オフの動作をし、ドアー１２が閉じられると揺動片２１の湾曲部２２は、ドアー１２の端面に押さえられてドアースイッチ１３の接触子２０を押し下げて電源オンの動作をする。
【００１２】
このとき、従来技術のようにドアーの回りに巡らせたガスケットＧには全く接触しない。
【００１３】
図２を参照してドアースイッチ１３の取付け構造について詳細に説明する。先ず、ブラケット１７には、ドアースイッチ１３の取付け面２４があり、この取付け面２４にはドアースイッチ１３のネジ挿通孔２５に合わせて雌ねじ２６が設けられている。
【００１４】
また、取付け面２４の図面上の上縁（スイッチの接触子がある方）で直角に折り曲げられ、その折り曲げ部２７に切り込み２８が入れられて弾撥性を付与されて上記揺動片２１とされ、その延長部分は湾曲２２してドアー１２の端面に無理なく接触するようになっている。
【００１５】
上記取付け面２４の前端は、直角に折り曲げられ、この折り曲げ部２７にブラケット１７とカバー１８とをリベット２９で止めるための孔３０が設けられている。その折り曲げ部２７と取付け面２４及び揺動片２１は図２に示すように同一の部材から折り曲げ及び切り込み２８を形成してなる。
【００１６】
保冷庫本体１４に設けた窪み１６にはカバー１８が被せられる。このカバー１８は上記窪み１６を覆い、上記ブラケット１７の揺動片２１が通り抜ける切り込み３１とブラケット１７をリベット２９で止めるための孔３０が開けられていて、リベット２９によりブラケット１７とカバー１８とが折り曲げ片３４を介して一体になる。
【００１７】
上記のようにドアースイッチ１３、ブラケット１７およびカバー１８が一体になった状態で、カバー１８に開けた孔３２を通して保冷庫本体１４の窪み１６の前面（窪み１６の入り口面）に図示しないビスにより取り付ける。
【００１８】
ドアースイッチ１３は、通常市販されているリミットスイッチでビス３３により図２（ｂ）のように取り付けられ、カバー１８と共に本体開口部１５の窪み１６の入り口に取付けられる。
【００１９】
【発明の効果】
以上説明した通りこの発明によれば、先端が湾曲し切り込みを入れて弾撥性を付与した揺動片により、ドアー開閉の際、スイッチの接触子をスムーズに作動させることとなり、揺動片の湾曲部がドアーの端面に接触しガスケットには全く接触しないのでガスケットを損傷・疲労させることはない。また、部品点数を少なくし、かつ、取付け工数を少なくすることができる。
【図面の簡単な説明】
【図１】この発明に係るドアースイッチ取付け構造の要部断面図
【図２】ドアースイッチ取付け部分の（ａ）部品分解斜視図、（ｂ）斜視図
【図３】保冷庫全体構成図
【図４】従来のドアースイッチ取付け構造の要部断面図
【符号の説明】
１  送風機
２，１２  ドアー
３，１３  ドアースイッチ
４，１４  保冷庫本体
５，１５  開口部
６，１６  窪み
７，１７  ブラケット
８，１８  カバー
９  レバー
２０  接触子
２１  揺動片
２２  湾曲部
２３  ヒンジ
２４  取付け面
２５  ネジ挿通孔
２６  雌ネジ
２７  折り曲げ部
２８  切り込み（ブラケットの）
２９  リベット
３０  孔（ブラケット側）
３１  切り込み（カバーの）
３２  孔（カバー側）
３３  ビス
【図１】
0004461344.tif 000002
【図２】
0004461344.tif 000003
【図３】
0004461344.tif 000004
【図４】
0004461344.tif 000005